(57)【要約】【課題】流通ルート内の特定ノードのＧＰＳ情報を電子透かしとして製品ラベルに埋め込み印刷し、特定ノードのＧＰＳ情報を用いて真贋判定を行う。【解決手段】電子透かし埋込装置は、製品ラベル若しくは製品の梱包資材に表示される画像情報に、製品の流通ルート内の特定ノードの位置情報を不可視の電子透かしとして埋め込む。電子透かし認証装置は、上記の画像情報に電子透かしとして埋め込まれている位置情報と、上記の特定ノードの位置情報とを取得して照合することで、製品の真贋判定を行う。電子透かし埋込装置は製造元で使用され、電子透かし認証装置は流通先で使用される。例えば、特定ノードのＧＰＳ情報として、流通先のＧＰＳ情報を使用する。また、製造元のＧＰＳ情報を使用しても良い。【選択図】図１
2015091102.tif 000002
【特許請求の範囲】
【請求項１】
製品ラベル若しくは製品の梱包資材に表示される画像情報に、前記製品の流通ルート内の特定ノードの位置情報を不可視の電子透かしとして埋め込む電子透かし埋込装置と、
前記画像情報に電子透かしとして埋め込まれている位置情報と、前記特定ノードの位置情報とを取得して照合することで、製品の真贋判定を行う電子透かし認証装置と、
を備えることを特徴とする真贋判定システム。
【請求項２】
前記電子透かし埋込装置及び電子透かし認証装置は、前記特定ノードの住所情報を取得し、前記特定ノードの住所情報を前記特定ノードの位置情報に変換する機能を有することを特徴とする請求項１に記載の真贋判定システム。
【請求項３】
前記電子透かし埋込装置は、製品ラベル若しくは製品の梱包資材に表示される画像情報に、前記製品の有効期限を示す日時情報を不可視の電子透かしとして埋め込み、
前記電子透かし認証装置は、前記画像情報に電子透かしとして埋め込まれている日時情報と、現在の日時を示す日時情報とを取得して照合することで、製品の真贋判定を行うことを特徴とする請求項１又は請求項２に記載の真贋判定システム。
【請求項４】
製品ラベル若しくは製品の梱包資材に表示される画像情報を取得するラベル画像取得部と、
前記製品の流通ルート内の特定ノードの位置情報を取得する位置情報取得部と、
前記画像情報に、前記特定ノードの位置情報を不可視の電子透かしとして埋め込む電子透かし埋込部と、
を備えることを特徴とする電子透かし埋込装置。
【請求項５】
前記製品ラベルをデジタル画像化し、前記画像情報に電子透かしとして埋め込まれている位置情報を取得するラベル画像読取部と、
流通ルート内の特定ノードの位置情報を取得する位置情報取得部と、
前記画像情報に電子透かしとして埋め込まれている位置情報と、前記特定ノードの位置情報とを照合することで、製品の真贋判定を行う真贋判定部と、
を備えることを特徴とする電子透かし認証装置。
【発明の詳細な説明】
【技術分野】
【０００１】
本発明は、流通過程における製品の真贋判定を行うための真贋判定システム、電子透かし埋込装置、及び電子透かし認証装置に関する。
【背景技術】
【０００２】
製品の流通ルートにおいて、製品が製造元から出荷された後、販社、代理店、卸売業者等の中間業者を経て、小売店等の最終販売者に到達するまでの間に、正規品が偽造品（模倣品、海賊版、粗悪品等）にすり替えられる事例や、正規品に偽造品が混入している事例が報告されているが、流通過程で偽造品を見極めるのは非常に困難であった。
また、上記のようなすり替えや混入を防止するために、製品や製品ラベル等にＩＣタグを付して製品や物流を管理することも行われている。例えば、特許文献１に、非接触ＩＣタグの位置を検出できる非接触ＩＣタグ位置検出システムが開示されている。しかし、製品や製品ラベル等にＩＣタグが付されることは一般に広く知られるようになっており、ＩＣタグが付された位置は隆起や痕跡から特定することも可能であるため、ＩＣタグが付されていることに気付かれた場合、ＩＣタグの流用や破壊が行われる可能性がある。
【先行技術文献】
【特許文献】
【０００３】
【特許文献１】特開２００７−１１４００３号公報
【発明の概要】
【発明が解決しようとする課題】
【０００４】
正規品であることを証明するための情報や媒体を製品ラベル等に付していることを、第三者（部外者）に気付かれないことが重要である。これを実現するための手法の１つとして、不可視の（目視不可能な）電子透かしを用いることが考えられる。
本発明の目的は、不可視の（目視不可能な）電子透かしを用いた真贋判定システムを提供することである。
【課題を解決するための手段】
【０００５】
上記の課題を解決するため、本発明の一態様に係る真贋判定システムは、電子透かし埋込装置と、電子透かし認証装置とを備える。電子透かし埋込装置は、製品ラベル若しくは製品の梱包資材に表示される画像情報に、製品の流通ルート内の特定ノードの位置情報を不可視の電子透かしとして埋め込む。電子透かし認証装置は、上記の画像情報に電子透かしとして埋め込まれている位置情報と、上記の特定ノードの位置情報とを取得して照合することで、製品の真贋判定を行う。
【発明の効果】
【０００６】
本発明によれば、照合に用いる認証情報（位置情報）を、不可視の電子透かしとして埋め込むため、ＩＣタグ等と比べて、認証情報を付していることや付した位置等を第三者（部外者）に気付かれる心配がない。
【図面の簡単な説明】
【０００７】
【図１】本発明の全実施形態に共通の真贋判定システムの構成例を示す図である。
【図２】ＧＰＳ電子透かしの埋込及び印刷処理の概要について説明するための図である。
【図３】ＧＰＳ電子透かしの照合（真贋判定）処理の概要について説明するための図である。
【図４】流通ルートにおいて真贋判定が行われるノードについて説明するための図である。
【図５】本発明の第１実施形態に係る電子透かし埋込装置の構成例を示す図である。
【図６】本発明の第１実施形態に係る電子透かし埋め込み印刷処理方法を示すシーケンス図である。
【図７】本発明の第１実施形態に係る電子透かし認証装置の構成例を示す図である。
【図８】本発明の第１実施形態に係る電子透かし認証処理方法を示すシーケンス図である。
【図９】本発明の第２実施形態に係る電子透かし埋込装置の構成例を示す図である。
【図１０】本発明の第２実施形態に係る電子透かし埋め込み印刷処理方法を示すシーケンス図である。
【図１１】本発明の第３実施形態に係る電子透かし埋込装置の構成例を示す図である。
【図１２】本発明の第３実施形態に係る電子透かし埋め込み印刷処理方法を示すシーケンス図である。
【図１３】本発明の第３実施形態に係る電子透かし認証装置の構成例を示す図である。
【図１４】本発明の第３実施形態に係る電子透かし認証処理方法を示すシーケンス図である。
【図１５】本発明の第４実施形態に係る電子透かし埋込装置の構成例を示す図である。
【図１６】本発明の第４実施形態に係る電子透かし埋め込み印刷処理方法を示すシーケンス図である。
【図１７】本発明の第４実施形態に係る電子透かし認証装置の構成例を示す図である。
【図１８】本発明の第４実施形態に係る電子透かし認証処理方法を示すシーケンス図である。
【図１９】本発明の全実施形態を実施可能な電子透かし埋込装置の構成例を示す図である。
【図２０】本発明の全実施形態を実施可能な電子透かし認証装置の構成例を示す図である。
【発明を実施するための形態】
【０００８】
以下に、本発明の実施形態について添付図面を参照して説明する。
［全体構成］
まず、図１を参照して、本発明の全実施形態に共通の真贋判定システムの全体構成について説明する。
この真贋判定システムは、埋込情報管理装置１０と、ラベル画像管理装置２０と、電子透かし埋込装置３０と、ラベル印刷装置４０と、電子透かし認証装置５０とを含む。
【０００９】
埋込情報管理装置１０は、埋込情報を格納して管理する。埋込情報は、製品の流通ルート内のノード（始点、中間点、終点）において確認可能な情報である。すなわち、製品の製造元、中間業者、最終販売者のうち少なくとも１つにおいて確認可能な情報である。また、埋込情報は、内容が公開されておらず、第三者（部外者）はどのような情報であるか知り得ない内部情報である。埋込情報は、後述する電子透かし認証装置５０に対する認証情報として使用される。なお、実際には、埋込情報管理装置１０は、埋込情報自体ではなく、埋込情報の基となる情報を格納して管理していても良い。埋込情報の基となる情報とは、埋込情報を検索／取得するための情報や、埋込情報に変換可能な情報、埋込情報の算出に用いられる情報等である。例えば、ＧＰＳ情報を求めるための住所情報等が考えられる。ＧＰＳ情報とは、ＧＰＳ（Ｇｌｏｂａｌ  Ｐｏｓｉｔｉｏｎｉｎｇ  Ｓｙｓｔｅｍ）から取得可能な位置情報（経度、緯度、標高等）である。現在、住所情報からＧＰＳ情報を検索することも可能である。
【００１０】
ラベル画像管理装置２０は、製品ラベル若しくは製品の梱包資材に表示される画像情報を格納して管理する。ここでは、製品ラベルの画像情報を例に説明する。なお、実際には、画像情報自体を格納していなくても良い。例えば、ラベル画像管理装置２０は、外部装置（図示しない）に格納された画像情報と対応付けられたＩＤ（Ｉｄｅｎｔｉｆｉｅｒ）やＵＲＬ（Ｕｎｉｆｏｒｍ  Ｒｅｓｏｕｒｃｅ  Ｌｏｃａｔｏｒ）を格納し、当該ＩＤやＵＲＬをキーとして、当該外部装置から画像情報を取得して提供するものでも良い。
【００１１】
電子透かし埋込装置３０は、製品ラベルの生成指示等に応じて、埋込情報と、製品ラベルの画像情報とを取得し、製品ラベルの画像情報に不可視の（目視不可能な）電子透かしとして埋込情報を埋め込む。不可視の電子透かしとした理由の１つとして、製品ラベルの画像情報に認証情報が埋め込まれていることを、第三者（部外者）に気づかれないようにすることが挙げられる。また、電子透かしとして埋め込まれる埋込情報は、流通ルート内のいずれかのノードで通信により取得／確認可能な情報である。実際には、電子透かしとして埋め込まれる埋込情報は、電子透かし認証装置５０を使用する場所でのみ取得／確認可能な情報であるとより好ましい。なお、電子透かし埋込装置３０は、製品ラベルの画像情報に電子透かしとして埋込情報を埋め込む際、埋込情報を加工／変換して埋め込んでも良い。
【００１２】
ラベル印刷装置４０は、不可視の電子透かしとして埋込情報が埋め込まれた製品ラベルの画像情報を取得し、当該製品ラベルの画像情報を印刷して製品ラベルを生成する。製品ラベルの素材は、紙や合成樹脂が多い。なお、当該製品ラベルの画像情報を印刷する対象物は、上記の製品ラベルの素材に限らず、製品自体や、当該製品を梱包する梱包資材、包装紙、保存容器、又は荷札（タグ）等でも良い。また、製品ラベルを付す単位は、個々の製品に限らず、同一の製品群を収納した箱やコンテナ等を単位としても良い。すなわち、製品ラベルは、製品に対して、直接付されるものに限らず、間接的に付されるものでも良い。
【００１３】
電子透かし認証装置５０は、製品若しくはその梱包資材に付された製品ラベルをデジタル画像化し、デジタル画像化した製品ラベルの画像情報を解析して、製品ラベルの画像情報に不可視の電子透かしとして埋め込まれている埋込情報を取り出し、取り出した埋込情報と、別途自身が取得／確認可能な情報とを照合して、製品の真贋判定を行う。別途自身が取得／確認可能な情報とは、電子透かし認証装置５０のみが取得／確認可能な情報や、電子透かし認証装置５０が埋込情報管理装置１０から取得可能な情報等である。例えば、特定ノードのＧＰＳ情報／住所情報等が考えられる。特定ノードは、自ノード（現在位置）でも良い。ここでは、真贋判定において、既定の条件を満たしていれば正規品（真正の製品）と判定し、既定の条件を満たしていなければ非正規品（偽造品、誤出荷、誤配送等）と判定する。既定の条件としては、以下のような第１の条件と、第２の条件とを同時に満たしていることが考えられる。まず、第１の条件としては、製品ラベルの画像情報に埋込情報が不可視の電子透かしとして埋め込まれていること、及び別途自身が取得／確認可能な情報が正常に存在していること（未登録、取得／確認不能等でないこと）が考えられる。次に、第２の条件として、照合の結果が、一致していること、又は許容範囲内に収まっていることが考えられる。判定結果については、当該装置の表示画面や、外部の表示装置に表示する。また、印刷装置に判定結果を送信して印刷しても良い。更に、非正規品と判定した場合には、自動的に製品の製造元に確認の問い合わせ／通報を行うようにしても良い。若しくは、判定結果を自動的に製品の製造元に通知するようにしても良い。なお、電子透かし認証装置５０は、主として流通ルート内のノードのうち中間点又は終点で使用されることを想定している。
【００１４】
ここでは、埋込情報の例として、流通ルート内の特定ノードのＧＰＳ情報を想定している。埋込情報として、流通ルート内の特定ノードのＧＰＳ情報を使用する場合、図２に示すように、電子透かし埋込装置３０及びラベル印刷装置４０は、製品ラベルの画像情報に特定ノードのＧＰＳ情報を電子透かし（ＧＰＳ電子透かし）として埋め込んで印刷し、製品ラベルを生成する。また、図３に示すように、電子透かし認証装置５０は、製品ラベルの画像情報に電子透かし（ＧＰＳ電子透かし）として埋め込まれた特定ノードのＧＰＳ情報を取り出し、取り出したＧＰＳ情報と、別途自身で取得／確認したＧＰＳ情報とを照合して、製品の真贋判定を行う。別途自身で取得／確認したＧＰＳ情報とは、ＧＰＳ機能によりＧＰＳ衛星から受信した自身のＧＰＳ情報の場合もあり、ネットワーク上のサーバ等に予め登録されている他のノードのＧＰＳ情報の場合もある。すなわち、画像認識により取得したＧＰＳ情報と、何らかの通信により取得／確認したＧＰＳ情報とを照合して、製品の真贋判定を行っている。ここでは、図４に示すように、製造元（流通ルートの始点）において、電子透かし埋込装置３０及びラベル印刷装置４０を用いてＧＰＳ電子透かしの埋め込み印刷を行い、販社、代理店、卸売業者等の中間業者（流通ルートの中間点）や、最終顧客に販売する小売店（流通ルートの終点）等において、電子透かし認証装置５０を用いてＧＰＳ電子透かしによる真贋判定を行う。なお、製造元は、製品ラベルを生成する場所と読み替えても良い。例えば、海外からの輸入品等の場合、国内向けの製品ラベルに張り替えられる場合も考えられる。また、埋込情報として、流通ルート内の全ノード（又はいくつかの主要ノード）のＧＰＳ情報を使用する場合も考えられる。但し、実際には、上記の例に限定されない。
【００１５】
［装置の例示］
埋込情報管理装置１０、ラベル画像管理装置２０、及び電子透かし埋込装置３０の例として、パソコン（ＰＣ：Ｐｅｒｓｏｎａｌ  Ｃｏｍｐｕｔｅｒ）、アプライアンス（ａｐｐｌｉａｎｃｅ）、ワークステーション、メインフレーム、スーパーコンピュータ等の計算機を想定している。また、埋込情報管理装置１０及びラベル画像管理装置２０は、電子透かし埋込装置３０に内蔵／外付けされた記憶装置でも良い。ラベル印刷装置４０の例として、プリンタ等の印刷装置や輪転印刷機を想定している。印刷装置は複合機でも良い。すなわち、ラベル印刷装置４０は、製品ラベルの画像を反映した物品を生成可能な装置であれば良い。電子透かし認証装置５０の例として、カメラ（撮像）機能を搭載した携帯電話機やスマートフォン、タブレット端末、ハンディターミナル、その他のガジェット等を想定している。無論、カメラ（撮像）装置と接続／連携した計算機でも良い。また、スキャナや複合機等でも良い。すなわち、電子透かし認証装置５０は、製品ラベルの画像を読み取り照合可能な装置であれば良い。
【００１６】
図示しないが、上記のような計算機等の電子機器は、プログラムに基づいて駆動し所定の処理を実行するプロセッサと、当該プログラムや各種データを記憶するメモリと、ネットワークとの通信に用いられるインターフェースによって実現される。
上記のプロセッサの例として、ＣＰＵ（Ｃｅｎｔｒａｌ  Ｐｒｏｃｅｓｓｉｎｇ  Ｕｎｉｔ）、ネットワークプロセッサ（ＮＰ：Ｎｅｔｗｏｒｋ  Ｐｒｏｃｅｓｓｏｒ）、マイクロプロセッサ（ｍｉｃｒｏｐｒｏｃｅｓｓｏｒ）、マイクロコントローラ（ｍｉｃｒｏｃｏｎｔｒｏｌｌｅｒ）、若しくは、専用の機能を有する半導体集積回路（ＬＳＩ：Ｌａｒｇｅ  Ｓｃａｌｅ  Ｉｎｔｅｇｒａｔｉｏｎ）等が考えられる。
【００１７】
上記のメモリの例として、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）やフラッシュメモリ等の半導体記憶装置等が考えられる。また、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等の補助記憶装置等も考えられる。また、ＤＶＤ（Ｄｉｇｉｔａｌ  Ｖｅｒｓａｔｉｌｅ  Ｄｉｓｋ）等のリムーバブルディスクや、ＳＤメモリカード（Ｓｅｃｕｒｅ  Ｄｉｇｉｔａｌ  ｍｅｍｏｒｙ  ｃａｒｄ）等の記憶媒体（メディア）等も考えられる。更に、バッファ（ｂｕｆｆｅｒ）やレジスタ（ｒｅｇｉｓｔｅｒ）等でも良い。若しくは、ＤＡＳ（Ｄｉｒｅｃｔ  Ａｔｔａｃｈｅｄ  Ｓｔｏｒａｇｅ）、ＦＣ−ＳＡＮ（Ｆｉｂｒｅ  Ｃｈａｎｎｅｌ  −  Ｓｔｏｒａｇｅ  Ａｒｅａ  Ｎｅｔｗｏｒｋ）、ＮＡＳ（Ｎｅｔｗｏｒｋ  Ａｔｔａｃｈｅｄ  Ｓｔｏｒａｇｅ）、ＩＰ−ＳＡＮ（ＩＰ  −  Ｓｔｏｒａｇｅ  Ａｒｅａ  Ｎｅｔｗｏｒｋ）等を用いたストレージ装置でも良い。
【００１８】
なお、上記のプロセッサ及び上記のメモリは、一体化していても良い。例えば、近年では、マイコン等の１チップ化が進んでいる。したがって、電子機器等に搭載される１チップマイコンが、上記のプロセッサ及び上記のメモリを備えている事例も考えられる。
上記のインターフェースの例として、ネットワーク通信に対応した基板（マザーボード、Ｉ／Ｏボード）やチップ等の半導体集積回路、ＮＩＣ（Ｎｅｔｗｏｒｋ  Ｉｎｔｅｒｆａｃｅ  Ｃａｒｄ）等のネットワークアダプタや同様の拡張カード、アンテナ等の通信装置、接続口（コネクタ）等の通信ポート等が考えられる。
【００１９】
また、ネットワークの例として、インターネット、ＬＡＮ（Ｌｏｃａｌ  Ａｒｅａ  Ｎｅｔｗｏｒｋ）、無線ＬＡＮ（Ｗｉｒｅｌｅｓｓ  ＬＡＮ）、ＷＡＮ（Ｗｉｄｅ  Ａｒｅａ  Ｎｅｔｗｏｒｋ）、バックボーン（Ｂａｃｋｂｏｎｅ）、ケーブルテレビ（ＣＡＴＶ）回線、固定電話網、携帯電話網、ＷｉＭＡＸ（ＩＥＥＥ  ８０２．１６ａ）、３Ｇ（３ｒｄ  Ｇｅｎｅｒａｔｉｏｎ）、専用線（ｌｅａｓｅ  ｌｉｎｅ）、ＩｒＤＡ（Ｉｎｆｒａｒｅｄ  Ｄａｔａ  Ａｓｓｏｃｉａｔｉｏｎ）、Ｂｌｕｅｔｏｏｔｈ（登録商標）、シリアル通信回線、データバス等が考えられる。
【００２０】
更に、埋込情報管理装置１０、ラベル画像管理装置２０、電子透かし埋込装置３０、及びラベル印刷装置４０は、「製品ラベル生成装置」として物理的／仮想的に一体化していても良い。更に、電子透かし認証装置５０とも一体化していても良い。埋込情報管理装置１０、ラベル画像管理装置２０、電子透かし埋込装置３０、ラベル印刷装置４０、及び電子透かし認証装置５０の全てが一体化した場合、１台の装置が、全ての機能を有し、電子透かしの埋め込み印刷と照合（真贋判定）との両方を実施可能となる。
【００２１】
埋込情報管理装置１０、ラベル画像管理装置２０、電子透かし埋込装置３０、ラベル印刷装置４０、及び電子透かし認証装置５０の内部の構成要素は、モジュール（ｍｏｄｕｌｅ）、コンポーネント（ｃｏｍｐｏｎｅｎｔ）、若しくは専用デバイス、又はこれらの起動（呼出）プログラムでも良い。
但し、実際には、これらの例に限定されない。
【００２２】
［共通の効果］
上記のような真贋判定システム（以下、本システム）は、電子透かし埋込装置と、電子透かし認証装置とを備える。電子透かし埋込装置は、製品ラベル若しくは製品の梱包資材に表示される画像情報に、製品の流通ルート内の特定ノードの位置情報を不可視の電子透かしとして埋め込む。電子透かし認証装置は、上記の画像情報に電子透かしとして埋め込まれている位置情報と、上記の特定ノードの位置情報とを取得して照合することで、製品の真贋判定を行う。電子透かし埋込装置は製造元で使用され、電子透かし認証装置は流通先で使用される。
【００２３】
（１）本システムでは、照合に用いる認証情報を、不可視の（目視不可能な）電子透かしとして埋め込んでいるため、ＩＣタグ等と比べて、埋め込み位置や埋め込み方法を第三者（部外者）に気付かれる心配がない。少なくとも、気付かれる蓋然性は非常に低くなる。
（２）また、本システムでは、電子透かしをコピーやスキャンすると、画像が著しく劣化したり、埋め込まれた情報が欠落したりするため、正規の電子透かしと容易に見分ける（判別する）ことができる。
【００２４】
（３）また、本システムでは、照合に用いる認証情報として、一般的に使用・想定されている認証情報ではなく、流通ルート内の特定ノードの位置情報（ＧＰＳ情報等）を使用しているため、第三者（部外者）に推測されにくい。
（４）したがって、製品ラベルの偽造／変造は実質的に不可能となり、照合判定結果の信頼性が高くなる。
【００２５】
（５）更に、万が一、電子透かしに気付かれたとしても、その内容は位置情報であるため、認証情報と気付かれない可能性がある。また、特定の場所の位置情報は本来秘匿される性質の情報ではないため、漏洩したとしても一般的な認証情報と比べて被害は小さい。
＜第１実施形態＞
次に、本発明の第１実施形態について説明する。
【００２６】
本実施形態では、埋込情報として、実際に電子透かしの照合（真贋判定）を行う流通先のＧＰＳ情報を使用する。流通先とは、製品の出荷先であり、販社、代理店、卸売業者等の中間業者や、最終顧客に販売する小売店等のことである。
本実施形態に係る真贋判定システムの構成については、基本的に図１に示すとおりである。なお、本実施形態では、埋込情報管理装置１０として、流通先ＧＰＳ情報管理装置１１を使用する。流通先ＧＰＳ情報管理装置１１は、埋込情報管理装置１０の１つであり、流通先のＧＰＳ情報を格納して管理する。実際には、流通先ＧＰＳ情報管理装置１１は、埋込情報管理装置１０に格納されたデータベースの１つでも良い。流通先のＧＰＳ情報は、特定の位置を示す情報に限らず、所定のエリアの範囲を示す情報でも良い。例えば、照合が行われる流通先のエリアの範囲（敷地内／施設内）を示す情報であると好ましい。流通先ＧＰＳ情報管理装置１１は、自動的／定期的に流通先から取得した流通先のＧＰＳ情報、又は流通先から登録された流通先のＧＰＳ情報を取得して格納する。流通先のＧＰＳ情報は、製造元が流通先からの通知を受けて登録するようにしても良いし、流通先が自ら登録するようにしても良い。なお、流通先ＧＰＳ情報管理装置１１は、自動的／定期的に流通先のＧＰＳ情報を更新するとより好ましい。
【００２７】
［電子透かし埋込装置の構成］
図５を参照して、本実施形態に係る電子透かし埋込装置の構成例について説明する。
本実施形態に係る電子透かし埋込装置３０は、流通先ＧＰＳ情報取得部３１と、ラベル画像取得部３４と、電子透かし埋込部３５とを備える。
流通先ＧＰＳ情報取得部３１は、流通先ＧＰＳ情報管理装置１１に対して流通先のＧＰＳ情報を要求し、流通先ＧＰＳ情報管理装置１１から流通先のＧＰＳ情報を取得する。例えば、流通先ＧＰＳ情報取得部３１は、リスト表示された流通先の中から少なくとも１つの流通先を選択することで、ＧＰＳ情報を管理する流通先ＧＰＳ情報管理装置１１に対して当該流通先のＧＰＳ情報の要求処理を行い、ＧＰＳ情報管理装置１１から該当するＧＰＳ情報を受信する。なお、実際には、複数の流通先を選択できるようにしても良い。例えば、流通ルートの同一経路上のノード（販社、代理店、卸売業者等の中間業者と、最終顧客に販売する小売店）のそれぞれのＧＰＳ情報を取得しても良い。また、流通先ＧＰＳ情報取得部３１は、流通先ＧＰＳ情報管理装置１１から自動的／定期的に流通先のＧＰＳ情報を取得しても良い。また、電子透かし埋込装置３０は、流通先を選択したことや流通先のＧＰＳ情報を取得したことをトリガ（契機）として一連の処理を開始しても良い。例えば、流通先ＧＰＳ情報取得部３１は、流通先のＧＰＳ情報を取得した時に、当該流通先に出荷する製品（又は製品ラベル）を特定し、ラベル画像取得部３４に対して、対応する製品ラベルの画像情報を取得するように指示しても良い。
【００２８】
ラベル画像取得部３４は、ラベル画像管理装置２０に対して製品ラベルの画像情報を要求し、ラベル画像管理装置２０から製品ラベルの画像情報を取得する。このとき、製品ラベルの画像情報を、流通先のＧＰＳ情報と同時に／並行して取得しても良いし、前後して取得しても良い。例えば、ラベル画像取得部３４は、リスト表示された製品（又は製品ラベル）の中から少なくとも１つの製品（又は製品ラベル）を選択することで、対応する製品ラベルの画像情報の要求処理を行い、製品ラベルの画像情報を管理するラベル画像管理装置２０から該当する画像情報を受信する。なお、実際には、ラベル画像取得部３４は、ラベル画像管理装置２０から自動的／定期的に製品ラベルの画像情報を取得しても良い。また、電子透かし埋込装置３０は、製品（又は製品ラベル）を選択したことや製品ラベルの画像情報を取得したことをトリガ（契機）として一連の処理を開始しても良い。例えば、ラベル画像取得部３４は、製品ラベルの画像情報を取得した時に、対応する製品が出荷される流通先を特定し、流通先ＧＰＳ情報取得部３１に対して、当該流通先のＧＰＳ情報を取得するように指示しても良い。
【００２９】
電子透かし埋込部３５は、流通先ＧＰＳ情報取得部３１から流通先のＧＰＳ情報を取得し、ラベル画像取得部３４から製品ラベルの画像情報を取得し、製品ラベルの画像情報に流通先のＧＰＳ情報を電子透かし（ＧＰＳ電子透かし）として埋め込む。このとき、電子透かし埋込部３５は、ＧＰＳ情報を電子透かし（ＧＰＳ電子透かし）として埋め込んだ製品ラベルの画像情報を蓄積／一時保存するようにしても良い。また、電子透かし埋込部３５は、ラベル印刷装置４０に対して、ＧＰＳ情報を電子透かし（ＧＰＳ電子透かし）として埋め込んだ製品ラベルの画像情報を出力し、印刷を指示する。印刷指示については、ＧＰＳ情報を電子透かし（ＧＰＳ電子透かし）として埋め込んだ後に続けて行っても良いし、蓄積／一時保存した画像情報を定期的にまとめて出力した時に行っても良い。
【００３０】
［電子透かし埋め込み印刷処理］
図６を参照して、本実施形態に係る電子透かし埋め込み印刷処理方法について説明する。
（１）ステップＳ１０１
流通先ＧＰＳ情報管理装置１１は、電子透かし埋込装置３０に流通先のＧＰＳ情報を送信する。このとき、流通先ＧＰＳ情報管理装置１１は、電子透かし埋込装置３０からの要求に応答して流通先のＧＰＳ情報を送信する。若しくは、自動的／定期的に電子透かし埋込装置３０に流通先のＧＰＳ情報を送信するようにしても良い。
【００３１】
（２）ステップＳ１０２
電子透かし埋込装置３０の流通先ＧＰＳ情報取得部３１は、流通先ＧＰＳ情報管理装置１１から流通先のＧＰＳ情報を受信する。このとき、流通先ＧＰＳ情報取得部３１は、流通先ＧＰＳ情報管理装置１１に対して流通先のＧＰＳ情報を要求し、応答として流通先ＧＰＳ情報管理装置１１から流通先のＧＰＳ情報を受信する。若しくは、自動的／定期的に流通先ＧＰＳ情報管理装置１１から流通先のＧＰＳ情報を受信するようにしても良い。また、流通先ＧＰＳ情報取得部３１は、流通先のＧＰＳ情報を製品ラベルの画像情報を電子透かし埋込部３５に出力する。
【００３２】
（３）ステップＳ１０３
ラベル画像管理装置２０は、電子透かし埋込装置３０に製品ラベルの画像情報を送信する。このとき、ラベル画像管理装置２０は、電子透かし埋込装置３０からの要求に応答して製品ラベルの画像情報を送信する。若しくは、自動的／定期的に電子透かし埋込装置３０に製品ラベルの画像情報を送信するようにしても良い。
【００３３】
（４）ステップＳ１０４
電子透かし埋込装置３０のラベル画像取得部３４は、ラベル画像管理装置２０から製品ラベルの画像情報を受信する。このとき、ラベル画像取得部３４は、ラベル画像管理装置２０に対して製品ラベルの画像情報を要求し、応答としてラベル画像管理装置２０から製品ラベルの画像情報を受信する。若しくは、自動的／定期的にラベル画像管理装置２０から製品ラベルの画像情報を受信するようにしても良い。また、ラベル画像取得部３４は、製品ラベルの画像情報を電子透かし埋込部３５に出力する。
【００３４】
（５）ステップＳ１０５
電子透かし埋込装置３０の電子透かし埋込部３５は、ＧＰＳ情報と、製品ラベルの画像情報を取得し、製品ラベルの画像情報にＧＰＳ情報を電子透かし（ＧＰＳ電子透かし）として埋め込む。本実施形態では、流通先ＧＰＳ情報取得部３１から流通先のＧＰＳ情報を取得し、ラベル画像取得部３４から製品ラベルの画像情報を取得し、製品ラベルの画像情報に流通先のＧＰＳ情報を電子透かし（ＧＰＳ電子透かし）として埋め込む。
【００３５】
（６）ステップＳ１０６
電子透かし埋込装置３０の電子透かし埋込部３５は、ラベル印刷装置４０に対して、ＧＰＳ情報を電子透かし（ＧＰＳ電子透かし）として埋め込んだ製品ラベルの画像情報を出力し、印刷を指示する。なお、実際には、製品ラベルの画像情報の出力を以って、印刷指示としても良い。
【００３６】
（７）ステップＳ１０７
ラベル印刷装置４０は、電子透かし埋込装置３０から、ＧＰＳ情報を電子透かし（ＧＰＳ電子透かし）として埋め込んだ製品ラベルの画像情報と、印刷指示を受信する。なお、実際には、製品ラベルの画像情報を受信した時点で、印刷指示を受信したと判断しても良い。
【００３７】
（８）ステップＳ１０８
ラベル印刷装置４０は、印刷指示に応じて、製品ラベルの画像情報を印刷して製品ラベルを生成する。このとき、製品ラベルの画像情報をそのまま印刷するだけではなく、製品ラベルの画像情報を加工／変換して印刷することも可能である。
【００３８】
［電子透かし認証装置の構成］
図７を参照して、本実施形態に係る電子透かし認証装置の構成例について説明する。
本実施形態に係る電子透かし認証装置５０は、現在ＧＰＳ情報取得部５１と、ラベル画像読取部５４と、真贋判定部５５とを備える。
現在ＧＰＳ情報取得部５１は、ＧＰＳ受信機として、ＧＰＳ衛星から当該装置（自機）の現在のＧＰＳ情報を取得する。また、このＧＰＳ情報を、流通先のＧＰＳ情報として、流通先ＧＰＳ情報管理装置１１に登録するようにしても良い。なお、登録する機会は一回に限らず、現在のＧＰＳ情報を取得する毎に登録しても良いし、一定期間毎に定期的に登録しても良い。但し、実際には、上記の例に限定されない。
【００３９】
ラベル画像読取部５４は、カメラ機能による撮像と画像認識により、製品に付された製品ラベルを読み取ってデジタル画像化し、当該製品ラベルの画像情報に埋め込まれている電子透かしを検出し、電子透かし（ＧＰＳ電子透かし）として埋め込まれているＧＰＳ情報を抽出する。
真贋判定部５５は、現在ＧＰＳ情報取得部５１で取得した現在のＧＰＳ情報と、ラベル画像読取部５４で抽出したＧＰＳ情報とを照合し、照合の結果、既定の条件を満たしていれば正規品と判定し、既定の条件を満たしていなければ非正規品（偽造品、誤出荷、誤配送等）と判定する。なお、ラベル画像読取部５４で抽出したＧＰＳ情報が複数である場合、複数のＧＰＳ情報のうち少なくとも１つのＧＰＳ情報に対して既定の条件を満たしていれば正規品と判定するようにしても良い。また、真贋判定部５５は、ある程度の誤差を許容するため、現在ＧＰＳ情報取得部５１で取得した現在のＧＰＳ情報と、ラベル画像読取部５４で抽出したＧＰＳ情報との差分が許容範囲内であれば、既定の条件を満たしていると判定するようにしても良い。判定結果については、当該装置の表示画面や、外部の表示装置に表示する。また、印刷装置に判定結果を送信して印刷しても良い。更に、非正規品と判定した場合には、自動的に製品の製造元に確認の問い合わせ／通報を行うようにしても良い。若しくは、判定結果を自動的に製品の製造元に通知するようにしても良い。
【００４０】
［電子透かし認証処理］
図８を参照して、本実施形態に係る電子透かし認証処理方法について説明する。
（１）ステップＳ２０１
電子透かし認証装置５０の現在ＧＰＳ情報取得部５１は、ＧＰＳ受信機として、ＧＰＳ衛星から現在のＧＰＳ情報を取得する。
【００４１】
（２）ステップＳ２０２
電子透かし認証装置５０のラベル画像読取部５４は、カメラ機能による撮像と画像認識により、製品に付された製品ラベルを読み取ってデジタル画像化する。
（３）ステップＳ２０３
電子透かし認証装置５０のラベル画像読取部５４は、当該製品ラベルの画像情報に埋め込まれている電子透かしを検出し、電子透かし（ＧＰＳ電子透かし）として埋め込まれているＧＰＳ情報を抽出する。
【００４２】
（４）ステップＳ２０４
電子透かし認証装置５０の真贋判定部５５は、現在ＧＰＳ情報取得部５１で取得した現在のＧＰＳ情報と、ラベル画像読取部５４で抽出したＧＰＳ情報とを照合し、照合の結果、既定の条件を満たしていれば正規品と判定し、既定の条件を満たしていなければ非正規品（偽造品、誤出荷、誤配送等）と判定する。なお、照合において、ＧＰＳ情報の誤差を補正する処理を行っても良い。また、製品ラベルの画像情報に電子透かし（ＧＰＳ電子透かし）が埋め込まれていない場合、ラベル画像読取部５４で抽出したＧＰＳ情報が空白となるため、既定の条件を満たしていないとして非正規品（偽造品、誤出荷、誤配送等）と判定する。
【００４３】
（５）ステップＳ２０５
電子透かし認証装置５０の真贋判定部５５は、判定結果を、電子透かし認証装置５０の表示画面や、外部の表示装置に表示する。また、印刷装置に判定結果を送信して印刷しても良い。更に、非正規品と判定した場合には、自動的に製品の製造元に確認の問い合わせ／通報を行うようにしても良い。若しくは、判定結果を自動的に製品の製造元に通知するようにしても良い。
【００４４】
［本実施形態の効果］
上記のように、本実施携帯では、電子透かし埋込装置は、製品ラベル若しくは製品の梱包資材に表示される画像情報に、流通先のＧＰＳ情報を不可視の電子透かしとして埋め込む。電子透かし認証装置は、上記の画像情報に電子透かしとして埋め込まれているＧＰＳ情報と、上記の流通先のＧＰＳ情報とを取得して照合することで、製品の真贋判定を行う。
【００４５】
（１）本実施形態においても、基本的に、前述した共通の効果を奏する。
（２）また、本実施形態では、流通先において、製品の流通先の正当性について判定することができる。
（３）また、本実施形態では、不可視の電子透かしとして流通先のＧＰＳ情報を埋め込むことで、製品ラベルに記載の流通先の修正／偽装についても見破ることが可能になる。
（４）更に、本実施形態では、流通先のＧＰＳ情報が別の流通ルート内のノードのＧＰＳ情報である場合、本来の流通ルートから外れた製品（並行輸入、横流し等）であると判定することも可能になる。
【００４６】
＜第２実施形態＞
次に、本発明の第２実施形態について説明する。
本実施形態では、埋込情報として、第１実施形態と異なり、流通先の住所情報（所在情報）を取得し、流通先の住所情報をＧＰＳ情報に変換した上で、製品ラベルの画像情報に流通先のＧＰＳ情報を電子透かし（ＧＰＳ電子透かし）として埋め込んで印刷し、製品ラベルを生成する。
【００４７】
本実施形態に係る真贋判定システムの構成については、基本的に図１に示すとおりである。なお、本実施形態では、埋込情報管理装置１０として、流通先住所情報管理装置１２を使用する。流通先住所情報管理装置１２は、埋込情報管理装置１０の１つであり、流通先の住所情報を格納して管理する。実際には、流通先住所情報管理装置１２は、埋込情報管理装置１０に格納されたデータベースの１つでも良い。流通先住所情報管理装置１２は、自動的／定期的に流通先から取得した流通先の住所情報、又は流通先から登録された流通先の住所情報を取得して格納する。
【００４８】
［電子透かし埋込装置の構成］
図９を参照して、本実施形態に係る電子透かし埋込装置の構成例について説明する。
本実施形態に係る電子透かし埋込装置３０は、流通先ＧＰＳ情報取得部３１と、ラベル画像取得部３４と、電子透かし埋込部３５とを備える。
流通先ＧＰＳ情報取得部３１は、流通先住所情報取得部３１１と、住所ＧＰＳ情報変換部３１２とを備える。
【００４９】
流通先住所情報取得部３１１は、流通先住所情報管理装置１２に対して流通先の住所情報を要求し、流通先住所情報管理装置１２から流通先の住所情報を取得する。例えば、流通先住所情報取得部３１１は、リスト表示された流通先の中から少なくとも１つの流通先を選択することで、当該流通先の住所情報の要求処理を行い、住所情報を管理する流通先住所情報管理装置１２から該当する住所情報を受信する。
【００５０】
住所ＧＰＳ情報変換部３１２は、流通先の住所情報を、流通先のＧＰＳ情報に変換する。すなわち、流通先の住所情報を変換して、流通先のＧＰＳ情報を取得する。この変換については、方法は問わない。例えば、対応表を用いて変換しても良いし、アルゴリズムや変換規則等に基づいて変換しても良い。対応表は、外部のサーバ等（図示せず）に管理されていても良い。また、流通先のＧＰＳ情報は、特定の位置を示す情報に限らず、所定のエリアの範囲を示す情報でも良い。その後、住所ＧＰＳ情報変換部３１２は、流通先のＧＰＳ情報を電子透かし埋込部３５に出力する。
ラベル画像取得部３４、及び電子透かし埋込部３５については、基本的に第１実施形態と同様であるため、説明を省略する。
【００５１】
［電子透かし埋め込み印刷処理］
図１０を参照して、本実施形態に係る電子透かし埋め込み印刷処理方法について説明する。本実施形態では、図６に示した第１実施形態に係る電子透かし埋め込み印刷処理方法におけるステップＳ１０１、Ｓ１０２の動作を、以下に示すステップＳ１１１〜Ｓ１１３の動作に置き換える。ステップＳ１０３以降の動作については、基本的に第１実施形態と同様であるため、説明を省略する。
【００５２】
（１）ステップＳ１１１
流通先住所情報管理装置１２は、電子透かし埋込装置３０に流通先の住所情報を送信する。このとき、流通先住所情報管理装置１２は、電子透かし埋込装置３０からの要求に応答して流通先の住所情報を送信する。若しくは、自動的／定期的に電子透かし埋込装置３０に流通先の住所情報を送信するようにしても良い。
【００５３】
（２）ステップＳ１１２
電子透かし埋込装置３０の流通先住所情報取得部３１１は、流通先住所情報管理装置１２から流通先の住所情報を受信する。このとき、流通先住所情報取得部３１１は、流通先住所情報管理装置１２に対して流通先の住所情報を要求し、応答として流通先住所情報管理装置１２から流通先の住所情報を受信する。若しくは、自動的／定期的に流通先住所情報管理装置１２から流通先の住所情報を受信するようにしても良い。
（３）ステップＳ１１３
電子透かし埋込装置３０の住所ＧＰＳ情報変換部３１２は、流通先の住所情報を、流通先のＧＰＳ情報に変換し、電子透かし埋込部３５に出力する。
【００５４】
［本実施形態の効果］
上記のように、本実施携帯では、電子透かし埋込装置は、特定ノードの住所情報を取得し、その特定ノードの住所情報を特定ノードの位置情報に変換する。
（１）本実施形態においても、基本的に、前述した共通の効果を奏する。
（２）また、本実施形態では、流通先のＧＰＳ情報としてではなく、流通先の住所情報として管理していれば良いため、既存システムで管理している流通先の住所情報をそのまま使用することができる。また、既存システムに組み込むことも可能である。
【００５５】
（３）更に、本実施形態では、流通先の住所情報が漏洩したとしても、直ちに電子透かしとして埋め込まれた情報（埋込情報）が露見するわけではない。通常、流通先の住所情報は、その他の情報と共に管理されているため、どの情報が電子透かしとして埋め込まれている情報の基になっているか認識することは困難である上、変換して使用していることや、どのように変換しているか認識することも困難である。
【００５６】
＜第３実施形態＞
次に、本発明の第３実施形態について説明する。
本実施形態では、埋込情報として、第１実施形態とは反対に、製造元のＧＰＳ情報を使用する。流通先は複数存在するため、流通先の数によっては全ての流通先のＧＰＳ情報を電子透かし（ＧＰＳ電子透かし）として埋め込むのが困難である場合も考えられる。一方、製造元は一般的に１箇所であるため、製造元のＧＰＳ情報を電子透かし（ＧＰＳ電子透かし）として埋め込むのは比較的容易である。また、上記の各実施形態における流通先のＧＰＳによる真贋判定と、本実施形態における製造元のＧＰＳ情報による真贋判定を同時に／並行して実施することで、判定の精度を向上させることも考えられる。
【００５７】
本実施形態に係る真贋判定システムの構成については、基本的に図１に示すとおりである。なお、本実施形態では、埋込情報管理装置１０として、製造元ＧＰＳ情報管理装置１３を使用する。製造元ＧＰＳ情報管理装置１３は、埋込情報管理装置１０の１つであり、製造元のＧＰＳ情報を格納して管理する。実際には、製造元ＧＰＳ情報管理装置１３は、埋込情報管理装置１０に格納されたデータベースの１つでも良い。このとき、製造元の名称又は住所情報と、製造元のＧＰＳ情報とを対応付けて管理していても良い。製造元ＧＰＳ情報管理装置１３は、自動的／定期的に製造元から取得した製造元のＧＰＳ情報、又は製造元から登録された製造元のＧＰＳ情報を取得して格納する。なお、製造元ＧＰＳ情報管理装置１３は、自動的／定期的に製造元のＧＰＳ情報を更新するとより好ましい。
【００５８】
［電子透かし埋込装置の構成］
図１１を参照して、本実施形態に係る電子透かし埋込装置の構成例について説明する。
本実施形態に係る電子透かし埋込装置３０は、現在ＧＰＳ情報取得部３２と、ラベル画像取得部３４と、電子透かし埋込部３５とを備える。
現在ＧＰＳ情報取得部３２は、ＧＰＳ受信機として、ＧＰＳ衛星から当該装置（自機）の現在のＧＰＳ情報を取得する。また、このＧＰＳ情報を製造元のＧＰＳ情報として製造元ＧＰＳ情報管理装置１３に登録する。登録するタイミングについては、製品ラベル生成時が考えられる。例えば、電子透かし埋込部３５に現在のＧＰＳ情報を出力／提供する際、同時に／並行して、このＧＰＳ情報を製造元のＧＰＳ情報として製造元ＧＰＳ情報管理装置１３に登録する。但し、実際には、上記の例に限定されない。
【００５９】
ラベル画像取得部３４は、ラベル画像管理装置２０に対して製品ラベルの画像情報を要求し、ラベル画像管理装置２０から製品ラベルの画像情報を取得する。製品ラベルの画像情報は、製造元のＧＰＳ情報と同時に／並行して取得しても良いし、前後して取得しても良い。例えば、ラベル画像取得部３４は、リスト表示された製品（又は製品ラベル）の中から少なくとも１つの製品（又は製品ラベル）を選択することで、対応する製品ラベルの画像情報の要求処理を行い、製品ラベルの画像情報を管理するラベル画像管理装置２０から該当する画像情報を受信する。なお、実際には、ラベル画像取得部３４は、ラベル画像管理装置２０から自動的／定期的に製品ラベルの画像情報を取得しても良い。また、電子透かし埋込装置３０は、製品（又は製品ラベル）を選択したことや製品ラベルの画像情報を取得したことをトリガ（契機）として一連の処理を開始しても良い。例えば、ラベル画像取得部３４は、製品ラベルの画像情報を取得した時に、現在ＧＰＳ情報取得部３２に対して、当該製造元のＧＰＳ情報を取得するように指示しても良い。
【００６０】
電子透かし埋込部３５は、現在ＧＰＳ情報取得部３２から現在のＧＰＳ情報を取得し、ラベル画像取得部３４から製品ラベルの画像情報を取得し、製品ラベルの画像情報に現在のＧＰＳ情報を電子透かし（ＧＰＳ電子透かし）として埋め込む。このとき、電子透かし埋込部３５は、ＧＰＳ情報を電子透かし（ＧＰＳ電子透かし）として埋め込んだ製品ラベルの画像情報を蓄積／一時保存するようにしても良い。また、電子透かし埋込部３５は、ラベル印刷装置４０に対して、ＧＰＳ情報を電子透かし（ＧＰＳ電子透かし）として埋め込んだ製品ラベルの画像情報を出力し、印刷を指示する。印刷指示については、ＧＰＳ情報を電子透かし（ＧＰＳ電子透かし）として埋め込んだ後に続けて行っても良いし、蓄積／一時保存した画像情報を定期的にまとめて出力した時に行っても良い。
【００６１】
［電子透かし埋め込み印刷処理］
図１２を参照して、本実施形態に係る電子透かし埋め込み印刷処理方法について説明する。本実施形態では、図６に示した第１実施形態に係る電子透かし埋め込み印刷処理方法におけるステップＳ１０１、Ｓ１０２の動作を、以下に示すステップＳ１２１〜Ｓ１２３の動作に置き換える。ステップＳ１０３以降の動作については、基本的に第１実施形態と同様であるため、説明を省略する。
【００６２】
（１）ステップＳ１２１
電子透かし埋込装置３０の現在ＧＰＳ情報取得部３２は、ＧＰＳ受信機として、ＧＰＳ衛星から当該装置（自機）の現在のＧＰＳ情報を取得する。
（２）ステップＳ１２２
電子透かし埋込装置３０の現在ＧＰＳ情報取得部３２は、現在のＧＰＳ情報を電子透かし埋込部３５に出力する。また、現在のＧＰＳ情報を製造元ＧＰＳ情報管理装置１３に送信する。
（３）ステップＳ１２３
製造元ＧＰＳ情報管理装置１３は、電子透かし埋込装置３０からＧＰＳ情報を受信し、受信したＧＰＳ情報を製造元ＧＰＳ情報として登録する。
【００６３】
［電子透かし認証装置の構成］
図１３を参照して、本実施形態に係る電子透かし認証装置の構成例について説明する。
本実施形態に係る電子透かし認証装置５０は、製造元ＧＰＳ情報取得部５２と、ラベル画像読取部５４と、真贋判定部５５とを備える。
製造元ＧＰＳ情報取得部５２は、製造元ＧＰＳ情報管理装置１３に対して製造元のＧＰＳ情報を要求し、製造元ＧＰＳ情報管理装置１３から製造元のＧＰＳ情報を取得する。例えば、製造元ＧＰＳ情報取得部５２は、製品（又は製品ラベル）に対応する製造元を特定し、ＧＰＳ情報を管理する製造元ＧＰＳ情報管理装置１３に対して当該製造元のＧＰＳ情報の要求処理を行い、製造元ＧＰＳ情報管理装置１３から該当するＧＰＳ情報を受信する。このとき、製造元ＧＰＳ情報取得部５２は、製造元の名称又は住所情報を指定して、当該製造元のＧＰＳ情報の要求処理を行うようにしても良い。また、製造元ＧＰＳ情報取得部５２は、第２実施形態を応用して、製造元の住所情報を取得し、この製造元の住所情報を変換して製造元のＧＰＳ情報を取得するようにしても良い。製造元の住所情報については、製造ラベルの画像情報から取得することも考えられる。
【００６４】
ラベル画像読取部５４は、カメラ機能による撮像と画像認識により、製品に付された製品ラベルを読み取ってデジタル画像化し、当該製品ラベルの画像情報に埋め込まれている電子透かしを検出し、電子透かし（ＧＰＳ電子透かし）として埋め込まれているＧＰＳ情報を抽出する。
真贋判定部５５は、製造元ＧＰＳ情報取得部５２で取得した製造元のＧＰＳ情報と、ラベル画像読取部５４で抽出したＧＰＳ情報とを照合し、照合の結果、一致していれば正規品と判定し、一致していなければ非正規品（偽造品、誤出荷、誤配送等）と判定する。なお、ラベル画像読取部５４で抽出したＧＰＳ情報が複数である場合、複数のＧＰＳ情報のうち少なくとも１つのＧＰＳ情報と一致していれば正規品と判定するようにしても良い。判定結果については、当該装置の表示画面や、外部の表示装置に表示する。また、印刷装置に判定結果を送信して印刷しても良い。更に、非正規品と判定した場合には、自動的に製品の製造元に確認の問い合わせ／通報を行うようにしても良い。若しくは、判定結果を自動的に製品の製造元に通知するようにしても良い。
【００６５】
［電子透かし認証処理］
図１４を参照して、本実施形態に係る電子透かし認証処理方法について説明する。本実施形態では、図８に示した第１実施形態に係る電子透かし認証処理方法におけるステップＳ２０１の動作を、以下に示すステップＳ２１１、Ｓ２１２の動作に置き換える。ステップＳ２１３以降の動作については、基本的に第１実施形態のステップＳ２０２以降の動作と同様である。
【００６６】
（１）ステップＳ２１１
製造元ＧＰＳ情報管理装置１３は、電子透かし認証装置５０に製造元のＧＰＳ情報を送信する。このとき、製造元ＧＰＳ情報管理装置１３は、電子透かし認証装置５０からの要求に応答して製造元のＧＰＳ情報を送信する。若しくは、自動的／定期的に電子透かし認証装置５０に製造元のＧＰＳ情報を送信するようにしても良い。
【００６７】
（２）ステップＳ２１２
電子透かし認証装置５０の製造元ＧＰＳ情報取得部５２は、製造元ＧＰＳ情報管理装置１３から製造元のＧＰＳ情報を受信する。このとき、製造元ＧＰＳ情報取得部５２は、製造元ＧＰＳ情報管理装置１３に対して製造元のＧＰＳ情報を要求し、応答として製造元ＧＰＳ情報管理装置１３から製造元のＧＰＳ情報を受信する。若しくは、自動的／定期的に製造元ＧＰＳ情報管理装置１３から製造元のＧＰＳ情報を受信するようにしても良い。また、製造元ＧＰＳ情報取得部５２は、製造元のＧＰＳ情報を製品ラベルの画像情報を電子透かし埋込部３５に出力する。
【００６８】
（２）ステップＳ２１３
電子透かし認証装置５０のラベル画像読取部５４は、カメラ機能による撮像と画像認識により、製品に付された製品ラベルを読み取ってデジタル画像化する。
（３）ステップＳ２１４
電子透かし認証装置５０のラベル画像読取部５４は、当該製品ラベルの画像情報に埋め込まれている電子透かしを検出し、電子透かし（ＧＰＳ電子透かし）として埋め込まれているＧＰＳ情報を抽出する。
【００６９】
（４）ステップＳ２１５
電子透かし認証装置５０の真贋判定部５５は、製造元ＧＰＳ情報取得部５２で取得した製造元のＧＰＳ情報と、ラベル画像読取部５４で抽出したＧＰＳ情報とを照合し、照合の結果、既定の条件を満たしていれば正規品と判定し、既定の条件を満たしていなければ非正規品（偽造品、誤出荷、誤配送等）と判定する。なお、照合において、ＧＰＳ情報の誤差を補正する処理を行っても良い。また、製品ラベルの画像情報に電子透かし（ＧＰＳ電子透かし）が埋め込まれていない場合、ラベル画像読取部５４で抽出したＧＰＳ情報が空白となるため、既定の条件を満たしていないとして非正規品（偽造品、誤出荷、誤配送等）と判定する。
【００７０】
（５）ステップＳ２１６
電子透かし認証装置５０の真贋判定部５５は、判定結果を、電子透かし認証装置５０の表示画面や、外部の表示装置に表示する。また、印刷装置に判定結果を送信して印刷しても良い。更に、非正規品と判定した場合には、自動的に製品の製造元に確認の問い合わせ／通報を行うようにしても良い。若しくは、判定結果を自動的に製品の製造元に通知するようにしても良い。
【００７１】
［本実施形態の効果］
上記のように、本実施携帯では、電子透かし埋込装置は、製品ラベル若しくは製品の梱包資材に表示される画像情報に、製造元のＧＰＳ情報を不可視の電子透かしとして埋め込む。電子透かし認証装置は、上記の画像情報に電子透かしとして埋め込まれているＧＰＳ情報と、上記の製造元のＧＰＳ情報とを取得して照合することで、製品の真贋判定を行う。
【００７２】
（１）本実施形態においても、基本的に、前述した共通の効果を奏する。
（２）また、本実施形態では、流通先において、製品の製造元（出荷基）の正当性について判定することができる。
（３）また、本実施形態では、不可視の電子透かしとして製造元のＧＰＳ情報を埋め込むことで、製品ラベルに記載の製造元、原産地の修正／偽装についても見破ることが可能になる。
（４）更に、製造元は流通先と異なり通常は１箇所であるため、不可視の電子透かしとして埋め込む情報の量が、第２、３実施形態よりも少なくて済む。
【００７３】
＜第４実施形態＞
次に、本発明の第４実施形態について説明する。
本実施形態では、埋込情報として、他の実施形態と異なり、実際に電子透かしの照合（真贋判定）を行う流通先において照合の実施を許諾する日時（年月日、時刻、時間帯等）を示す日時情報を使用する。なお、日時情報は、日付と時刻の両方に限らず、日付と時刻のいずれか一方のみでも良い。
【００７４】
本実施形態に係る真贋判定システムの構成については、基本的に図１に示すとおりである。なお、本実施形態では、埋込情報管理装置１０として、照合日時情報管理装置１４を使用する。照合日時情報管理装置１４は、埋込情報管理装置１０の１つであり、流通先での照合（真贋判定）の実施を許諾する日時（年月日、時刻、時間帯等）を示す日時情報を格納して管理する。実際には、照合日時情報管理装置１４は、埋込情報管理装置１０に格納されたデータベースの１つでも良い。例えば、製品の製造又は出荷から所定期間内に流通先での照合の実施を要求する場合や、製品の販売が期間限定である場合、又は製品に消費期限がある場合、有効期限を示す情報を日時情報とする。或いは、当該製品の流通先への到着予定日時（前後の時間帯を含む）を示す情報を日時情報としても良い。このとき、流通先の名称又は住所情報と、製品（又は製品ラベル）の名称又は識別情報と、日時情報とを対応付けて管理していても良い。照合日時情報管理装置１４は、自動的／定期的に流通先から取得した日時情報、又は流通先から登録された日時情報を取得して格納する。なお、照合日時情報管理装置１４は、自動的／定期的に日時情報を更新するとより好ましい。
【００７５】
［電子透かし埋込装置の構成］
図１５を参照して、本実施形態に係る電子透かし埋込装置の構成例について説明する。
本実施形態に係る電子透かし埋込装置３０は、照合日時情報取得部３３と、ラベル画像取得部３４と、電子透かし埋込部３５とを備える。
照合日時情報取得部３３は、照合日時情報管理装置１４に対して日時情報を要求し、照合日時情報管理装置１４から日時情報を取得する。例えば、照合日時情報取得部３３は、製品（又は製品ラベル）に対応する流通先を特定し、日時情報を管理する照合日時情報管理装置１４に対して当該製品又は当該流通先に対応する日時情報の要求処理を行い、照合日時情報管理装置１４から該当する日時情報を受信する。このとき、流通先の名称又は住所情報を指定して、当該製品又は当該流通先に対応する日時情報の要求処理を行うようにしても良い。
【００７６】
ラベル画像取得部３４は、ラベル画像管理装置２０に対して製品ラベルの画像情報を要求し、ラベル画像管理装置２０から製品ラベルの画像情報を取得する。製品ラベルの画像情報は、日時情報と同時に／並行して取得しても良いし、前後して取得しても良い。例えば、ラベル画像取得部３４は、リスト表示された製品（又は製品ラベル）の中から少なくとも１つの製品（又は製品ラベル）を選択することで、対応する製品ラベルの画像情報の要求処理を行い、製品ラベルの画像情報を管理するラベル画像管理装置２０から該当する画像情報を受信する。なお、実際には、ラベル画像取得部３４は、ラベル画像管理装置２０から自動的／定期的に製品ラベルの画像情報を取得しても良い。また、電子透かし埋込装置３０は、製品（又は製品ラベル）を選択したことや製品ラベルの画像情報を取得したことをトリガ（契機）として一連の処理を開始しても良い。例えば、ラベル画像取得部３４は、製品ラベルの画像情報を取得した時に、照合日時情報取得部３３に対して、当該製品（又は製品ラベル）に対応する日時情報を取得するように指示しても良い。
【００７７】
電子透かし埋込部３５は、照合日時情報取得部３３から日時情報を取得し、ラベル画像取得部３４から製品ラベルの画像情報を取得し、製品ラベルの画像情報に日時情報を電子透かし（日時電子透かし）として埋め込む。このとき、電子透かし埋込部３５は、日時情報を電子透かし（日時電子透かし）として埋め込んだ製品ラベルの画像情報を蓄積／一時保存するようにしても良い。また、電子透かし埋込部３５は、ラベル印刷装置４０に対して、日時情報を電子透かし（日時電子透かし）として埋め込んだ製品ラベルの画像情報を出力し、印刷を指示する。印刷指示については、日時情報を電子透かし（日時電子透かし）として埋め込んだ後に続けて行っても良いし、蓄積／一時保存した画像情報を定期的にまとめて出力した時に行っても良い。
【００７８】
［電子透かし埋め込み印刷処理］
図１６を参照して、本実施形態に係る電子透かし埋め込み印刷処理方法について説明する。
（１）ステップＳ３０１
照合日時情報管理装置１４は、電子透かし埋込装置３０に、流通先での照合（真贋判定）の実施を許諾する日時（年月日、時刻、時間帯等）を示す日時情報を送信する。このとき、照合日時情報管理装置１４は、電子透かし埋込装置３０からの要求に応答して日時情報を送信する。若しくは、自動的／定期的に電子透かし埋込装置３０に日時情報を送信するようにしても良い。
【００７９】
（２）ステップＳ３０２
電子透かし埋込装置３０の照合日時情報取得部３３は、照合日時情報管理装置１４から日時情報を受信する。このとき、照合日時情報取得部３３は、照合日時情報管理装置１４に対して日時情報を要求し、応答として照合日時情報管理装置１４から日時情報を受信する。若しくは、自動的／定期的に照合日時情報管理装置１４から日時情報を受信するようにしても良い。また、照合日時情報取得部３３は、日時情報を製品ラベルの画像情報を電子透かし埋込部３５に出力する。
【００８０】
（３）ステップＳ３０３
ラベル画像管理装置２０は、電子透かし埋込装置３０に製品ラベルの画像情報を送信する。このとき、ラベル画像管理装置２０は、電子透かし埋込装置３０からの要求に応答して製品ラベルの画像情報を送信する。若しくは、自動的／定期的に電子透かし埋込装置３０に製品ラベルの画像情報を送信するようにしても良い。
【００８１】
（４）ステップＳ３０４
電子透かし埋込装置３０のラベル画像取得部３４は、ラベル画像管理装置２０から製品ラベルの画像情報を受信する。このとき、ラベル画像取得部３４は、ラベル画像管理装置２０に対して製品ラベルの画像情報を要求し、応答としてラベル画像管理装置２０から製品ラベルの画像情報を受信する。若しくは、自動的／定期的にラベル画像管理装置２０から製品ラベルの画像情報を受信するようにしても良い。また、ラベル画像取得部３４は、製品ラベルの画像情報を電子透かし埋込部３５に出力する。
【００８２】
（５）ステップＳ３０５
電子透かし埋込装置３０の電子透かし埋込部３５は、日時情報と、製品ラベルの画像情報を取得し、製品ラベルの画像情報に日時情報を電子透かし（日時電子透かし）として埋め込む。本実施形態では、照合日時情報取得部３３から日時情報を取得し、ラベル画像取得部３４から製品ラベルの画像情報を取得し、製品ラベルの画像情報に日時情報を電子透かし（日時電子透かし）として埋め込む。
【００８３】
（６）ステップＳ３０６
電子透かし埋込装置３０の電子透かし埋込部３５は、ラベル印刷装置４０に対して、日時情報を電子透かし（日時電子透かし）として埋め込んだ製品ラベルの画像情報を出力し、印刷を指示する。なお、実際には、製品ラベルの画像情報の出力を以って、印刷指示としても良い。
【００８４】
（７）ステップＳ３０７
ラベル印刷装置４０は、電子透かし埋込装置３０から、日時情報を電子透かし（日時電子透かし）として埋め込んだ製品ラベルの画像情報と、印刷指示を受信する。なお、実際には、製品ラベルの画像情報を受信した時点で、印刷指示を受信したと判断しても良い。
（８）ステップＳ３０８
ラベル印刷装置４０は、印刷指示に応じて、製品ラベルの画像情報を印刷して製品ラベルを生成する。このとき、製品ラベルの画像情報をそのまま印刷するだけではなく、製品ラベルの画像情報を加工／変換して印刷することも可能である。
【００８５】
［電子透かし認証装置の構成］
図１７を参照して、本実施形態に係る電子透かし認証装置の構成例について説明する。
本実施形態に係る電子透かし認証装置５０は、現在日時情報取得部５３と、ラベル画像読取部５４と、真贋判定部５５とを備える。
現在日時情報取得部５３は、当該装置（自機）のハードウェアタイマ（ウォッチドッグタイマ等）又はＧＰＳ衛星から現在日時を示す日時情報を取得する。
【００８６】
ラベル画像読取部５４は、カメラ機能による撮像と画像認識により、製品に付された製品ラベルを読み取ってデジタル画像化し、当該製品ラベルの画像情報に埋め込まれている電子透かしを検出し、電子透かし（日時電子透かし）として埋め込まれている日時情報を抽出する。
真贋判定部５５は、現在日時情報取得部５３で取得した日時情報と、ラベル画像読取部５４で抽出した日時情報とを照合し、照合の結果、既定の条件を満たしていれば正規品と判定し、既定の条件を満たしていなければ非正規品（偽造品、誤出荷、誤配送等）と判定する。例えば、現在日時情報取得部５３で取得した日時情報が現在日時を示し、ラベル画像読取部５４で抽出した日時情報が有効期限を示す場合、現在日時が有効期限内であれば正規品と判定し、現在日時が有効期限内でなければ非正規品（偽造品、誤出荷、誤配送、廃棄対象等）と判定する。判定結果については、当該装置の表示画面や、外部の表示装置に表示する。また、印刷装置に判定結果を送信して印刷しても良い。更に、非正規品と判定した場合には、自動的に製品の製造元に確認の問い合わせ／通報を行うようにしても良い。若しくは、判定結果を自動的に製品の製造元に通知するようにしても良い。
【００８７】
［電子透かし認証処理］
図１８を参照して、本実施形態に係る電子透かし認証処理方法について説明する。
（１）ステップＳ４０１
電子透かし認証装置５０の現在日時情報取得部５３は、ハードウェアタイマ（ウォッチドッグタイマ等）又はＧＰＳ衛星から現在日時を示す日時情報を取得する。
【００８８】
（２）ステップＳ４０２
電子透かし認証装置５０のラベル画像読取部５４は、カメラ機能による撮像と画像認識により、製品に付された製品ラベルを読み取ってデジタル画像化する。
（３）ステップＳ４０３
電子透かし認証装置５０のラベル画像読取部５４は、当該製品ラベルの画像情報に埋め込まれている電子透かしを検出し、電子透かし（日時電子透かし）として埋め込まれている日時情報を抽出する。
【００８９】
（４）ステップＳ４０４
電子透かし認証装置５０の真贋判定部５５は、現在日時情報取得部５３で取得した日時情報と、ラベル画像読取部５４で抽出した日時情報とを照合し、照合の結果、既定の条件を満たしていれば正規品と判定し、既定の条件を満たしていなければ非正規品（偽造品、誤出荷、誤配送等）と判定する。なお、照合において、日時情報の誤差を補正する処理を行っても良い。また、製品ラベルの画像情報に電子透かし（日時電子透かし）が埋め込まれていない場合、ラベル画像読取部５４で抽出した日時情報が空白となるため、既定の条件を満たしていないとして非正規品（偽造品、誤出荷、誤配送等）と判定する。
【００９０】
（５）ステップＳ４０５
電子透かし認証装置５０の真贋判定部５５は、判定結果を、電子透かし認証装置５０の表示画面や、外部の表示装置に表示する。また、印刷装置に判定結果を送信して印刷しても良い。更に、非正規品と判定した場合には、自動的に製品の製造元に確認の問い合わせ／通報を行うようにしても良い。若しくは、判定結果を自動的に製品の製造元に通知するようにしても良い。
【００９１】
［本実施形態の効果］
上記のように、本実施携帯では、電子透かし埋込装置は、製品ラベル若しくは製品の梱包資材に表示される画像情報に、製品の有効期限を示す日時情報を不可視の電子透かしとして埋め込む。電子透かし認証装置は、上記の画像情報に電子透かしとして埋め込まれている日時情報と、上記の製品の有効期限を示す日時情報とを取得して照合することで、製品の真贋判定を行う。
（１）本実施形態においても、基本的に、前述した共通の効果を奏する。
（２）更に、本実施形態では、不可視の電子透かしとして日時情報を埋め込むことで、使用済みの古い製品ラベルを流用した偽造品や、製品ラベルに記載の日付の修正／偽装についても見破ることが可能になる。
【００９２】
＜各実施形態の関係＞
上記の各実施形態は、組み合わせて実施することが可能である。例えば、第１、第２実施形態における流通先のＧＰＳ情報に基づく真贋判定と、第３実施形態における製造元のＧＰＳ情報に基づく真贋判定とを組み合わせることや、第４実施形態における日時情報に基づく真贋判定と、第１〜第３実施形態におけるＧＰＳ情報に基づく真贋判定とを組み合わせることで、より精度の高い真贋判定を行うことができると考えられる。また、上記の各実施形態において、電子透かしとＩＣタグとを組み合わせて使用することも考えられる。
【００９３】
なお、電子透かし埋込装置３０は、図１９に示すように、上記の各実施形態で示した構成要素を全て備えていても良い。また、電子透かし認証装置５０は、図２０に示すように、上記の各実施形態で示した構成要素を全て備えていても良い。このとき、電子透かし埋込装置３０や電子透かし認証装置５０は、動作モードや機能の切り替え等により、実施形態を変更できるようにしても良い。また、電子透かし埋込装置３０や電子透かし認証装置５０は、電子透かし埋め込み印刷用プログラムや電子透かし認証用プログラムを、計算機等に実行させることにより実現しても良い。電子透かし埋め込み印刷用プログラムは、上記の各実施形態における電子透かし埋め込み印刷処理方法を計算機等に実行させるためのプログラムである。電子透かし認証用プログラムは、上記の各実施形態における電子透かし認証処理方法を計算機等に実行させるためのプログラムである。電子透かし埋め込み印刷用プログラムや電子透かし認証用プログラムは、記憶装置や記憶媒体に格納することが可能である。
【００９４】
＜変形例＞
上記の第１〜第３実施形態において、埋込情報として、ＧＰＳ情報の代わりに別の位置情報を用いても良い。例えば、基準となる絶対位置情報に対する相対位置情報でも良い。また、地図上の座標情報でも良い。また、敷地内／施設内の基地局や無線ＬＡＮアクセスポイント（Ｗｉｒｅｌｅｓｓ  ＬＡＮ  ａｃｃｅｓｓ  ｐｏｉｎｔ）等の位置情報でも良い。
【００９５】
また、上記の実施形態では、製品ラベルの画像情報を例に説明しているが、実際には製品ラベルの画像情報に限定されない。例えば、製品の梱包資材に直接印刷される製品画像や企業ロゴ、文字画像等にも、電子透かしとして埋込情報を埋め込むことは可能である。すなわち、製品ラベル若しくは製品の梱包資材又はこれらに類するものに表示される画像情報であって、撮像によりデジタル画像化可能なものであれば良い。
【００９６】
また、第２実施形態で説明した「流通先住所情報取得部」及び「住所ＧＰＳ情報変換部」は、電子透かし埋込装置側に限らず、電子透かし認証装置側に設けられていても良い。例えば、画像情報に電子透かしとして特定ノードのＧＰＳ情報が埋め込まれている場合に、電子透かし認証装置が、当該特定ノードのＧＰＳ情報を取得するため、当該特定ノードの住所情報からＧＰＳ情報を検索することも考えられる。
以上、本発明の実施形態を詳述してきたが、実際には、上記の実施形態に限られるものではなく、本発明の要旨を逸脱しない範囲の変更があっても本発明に含まれる。
【符号の説明】
【００９７】
１０…  埋込情報管理装置
１１…  流通先ＧＰＳ情報管理装置
１２…  流通先住所情報管理装置
１３…  製造元ＧＰＳ情報管理装置
１４…  照合日時情報管理装置
２０…  ラベル画像管理装置
３０…  電子透かし埋込装置
３１…  流通先ＧＰＳ情報取得部
３１１…  流通先住所情報取得部
３１２…  住所ＧＰＳ情報変換部
３２…  現在ＧＰＳ情報取得部
３３…  照合日時情報取得部
３４…  ラベル画像取得部
３５…  電子透かし埋込部
４０…  ラベル印刷装置
５０…  電子透かし認証装置
５１…  現在ＧＰＳ情報取得部
５２…  製造元ＧＰＳ情報取得部
５３…  現在日時情報取得部
５４…  ラベル画像読取部
５５…  真贋判定部
【図１】
2015091102.tif 000003
【図２】
2015091102.tif 000004
【図３】
2015091102.tif 000005
【図４】
2015091102.tif 000006
【図５】
2015091102.tif 000007
【図６】
2015091102.tif 000008
【図７】
2015091102.tif 000009
【図８】
2015091102.tif 000010
【図９】
2015091102.tif 000011
【図１０】
2015091102.tif 000012
【図１１】
2015091102.tif 000013
【図１２】
2015091102.tif 000014
【図１３】
2015091102.tif 000015
【図１４】
2015091102.tif 000016
【図１５】
2015091102.tif 000017
【図１６】
2015091102.tif 000018
【図１７】
2015091102.tif 000019
【図１８】
2015091102.tif 000020
【図１９】
2015091102.tif 000021
【図２０】
2015091102.tif 000022